(57)【要約】【課題】本発明は、操作が便利で、外観に新規性があるタッチ式キーボードを提供することを目的とする。【解決手段】本発明のタッチ式キーボードは、タッチプレート、基板、投影装置及び制御モジュールを備える。前記タッチプレートが前記基板を被覆し、前記投影装置が前記基板上に起倒可能に設けられる。前記制御モジュールが前記タッチプレートに連接され、前記制御モジュールの内部には、複数のキーアイコンの座標情報が予め格納されている。前記投影装置は、前記複数のキーアイコンを前記タッチプレート上に投影するためのプロジェクターを含む。前記タッチプレートに投影されたキーアイコンに触れると、前記制御モジュールは触れられた位置を検知するとともに、この触れられた位置の座標情報を記録して、前記座標情報と予め格納された前記キーアイコンの座標範囲情報とを比較して、触れられた位置に対応する指令情報を出力する。【選択図】図４
2011258188.tif 000002
【特許請求の範囲】
【請求項１】
タッチプレート、基板、投影装置及び制御モジュールを備えてなるタッチ式キーボードであって、
前記タッチプレートが前記基板を被覆し、前記投影装置が前記基板上に起倒可能に設けられ、
前記制御モジュールが前記タッチプレートに連接され、前記制御モジュールの内部には、複数のキーアイコンの座標情報が予め格納されており、
前記投影装置は、複数の前記キーアイコンを前記タッチプレート上に投影するためのプロジェクターを含み、
前記タッチプレートに投影された前記キーアイコンに触れると、前記制御モジュールは触れられた位置を検知するとともに、この触れられた位置の座標情報を記録して、前記座標情報と予め格納された前記キーアイコンの座標範囲情報とを比較して、触れられた位置に対応する指令情報を出力することを特徴とするタッチ式キーボード。
【請求項２】
前記基板の表面にはスロットが設けられ、前記投影装置は前記スロット内に収納されるキャリアー体を含み、前記プロジェクターが前記キャリアー体に装着されることを特徴とする請求項１に記載のタッチ式キーボード。
【請求項３】
前記キャリアー体は、支持部、回転部及びヒンジ部材を備え、前記支持部の一端が前記スロット内に枢着され、前記回転部が前記ヒンジ部材を介して前記支持部の他端に回動可能に連結され、前記プロジェクターが前記回転部に装着されることを特徴とする請求項２に記載のタッチ式キーボード。
【請求項４】
前記ヒンジ部材には、前記回転部と前記支持部との間の角度を測定するための角度センサーが設けられ、
前記角度センサーは、角度信号を発生してそれを前記制御モジュールに伝送することを特徴とする請求項３に記載のタッチ式キーボード。
【請求項５】
前記タッチプレートには、コンピューターの表示装置に接続される信号転換線が設けられ、
前記プロジェクターは、ダブルレンズ映像プロジェクターであり、且つ前記信号転換線に電気的に接続されて、コンピューターのデスクトップ及びユーザーが入力した情報を投影して表示することを特徴とする請求項１から４のいずれか１項に記載のタッチ式キーボード。
【請求項６】
前記タッチプレートは、透過性を有し、且つ透明な静電容量式タッチプレートであり、透明保護層、第一導電層、透明基体及び第二導電層から構成されており、
前記透明保護層、前記第一導電層、前記透明基体及び前記第二導電層が上から下に順次に積層され、前記透明保護層はシリカからなり、前記第一導電層及び前記第二導電層は、インジウム・スズ酸化物からなり、前記透明基体はガラス板であることを特徴とする請求項１から５のいずれか１項に記載のタッチ式キーボード。
【発明の詳細な説明】
【技術分野】
【０００１】
本発明は、キーボードに関し、特にタッチ式キーボードに関するものである。
【背景技術】
【０００２】
キーボードは、主な入力デバイスとして、電子装置にとって不可欠な外付け部品である。従来のキーボードは、一般的に複数の独立したキー支持部及びキートップから構成される。前記キーボードを利用してコンピューターに情報を入力する場合、大きな力で前記キートップをクリックしなければならない。従って、ユーザーが長時間クリックすると、疲労を感じ易い。さらに、最近、このスタイルのキーボードは、消費者の電子装置に対する個性的なニーズを満たさない。
【発明の概要】
【発明が解決しようとする課題】
【０００３】
本発明は、上記の問題点を考慮してなされたものであり、操作が便利であり、外観に新規性があるタッチ式キーボードを提供することを目的とする。
【課題を解決するための手段】
【０００４】
前記課題を解決するために、本発明に係るタッチ式キーボードは、タッチプレート、基板、投影装置及び制御モジュールを備える。前記タッチプレートが前記基板を被覆し、前記投影装置が前記基板上に起倒可能に設けられる。前記制御モジュールが前記タッチプレートに連接され、前記制御モジュールの内部には、複数のキーアイコンの座標情報が予め格納されている。前記投影装置は、前記複数のキーアイコンを前記タッチプレート上に投影するためのプロジェクターを含む。前記タッチプレートに投影された前記キーアイコンに触れると、前記制御モジュールは触れられた位置を検知するとともに、この触れられた位置の座標情報を記録して、前記座標情報と予め格納された前記キーアイコンの座標範囲情報とを比較して、触れられた位置に対応する指令情報を出力する。
【発明の効果】
【０００５】
従来の技術に比べて、本発明のタッチ式キーボードは、タッチプレート構造を採用するため、ユーザーがキートップをクリックすることなく入力することができ、操作が便利である。また、本発明のタッチ式キーボードは、プロジェクターを介してキーアイコンをタッチプレートに投影するので、構造に新規性があり、外観が立派である。
【図面の簡単な説明】
【０００６】
【図１】本発明の第一実施形態に係るタッチ式キーボードの分解図である。
【図２】図１に示したタッチ式キーボードのタッチプレートの断面構造図である。
【図３】図１に示したタッチ式キーボードの基板の背面図である。
【図４】図１に示したタッチ式キーボードの使用状態を示す図である。
【図５】本発明の第二実施形態に係るタッチ式キーボードの分解図である。
【図６】本発明の第三実施形態に係るタッチ式キーボードの投影装置の拡大図である。
【図７】本発明の第四実施形態に係るタッチ式キーボードの使用状態を示す図である。
【発明を実施するための形態】
【０００７】
図１に示したように、本発明の第一実施形態に係るタッチ式キーボード１００は、コンピューター或いはプリンター等の電子装置の入力デバイスとして使用される。前記タッチ式キーボード１００は、タッチプレート１０、基板３０、投影装置５０及び制御モジュール７０を備える。前記タッチプレート１０は前記基板３０上に設置され、前記投影装置５０は前記基板３０の長手方向の片側に回動可能に設置され、前記制御モジュール７０は前記タッチプレート１０に電気的に接続される。
【０００８】
図２に示したように、前記タッチプレート１０は透光性を有し、且つ透明な静電容量式タッチプレートであって、透明保護層１２、第一導電層１４、透明基体１６、第二導電層１７及び電源線１８を備える。前記透明保護層１２、前記第一導電層１４、前記透明基体１６及び第二導電層１７は、上から下に順次積層配置されている。本実施形態において、前記透明保護層１２は、シリカ或いはポリエチレンテレフタレート（ＰＥＴ）薄膜から製作される。前記第一導電層１４は、位置を検出するための機能層であり、インジウム・スズ酸化物（ＩＴＯ）、アルミニウム酸化物添加亜鉛酸化物（ＺＡＯ）或いは酸化カドミウム（ＣｄＯ）等の透明導電材料からなる。前記透明基体１６は、ガラス板或いは透明なプラスチック板である。前記第二導電層１７は、透明導電材料からなり、且つマスキング層として前記タッチプレート１０が静電気或いは電磁波に干渉されないようにして、前記タッチプレート１０に理想的な動作環境を提供する。前記電源線１８の一端が前記タッチプレート１０の側辺に接続され、前記電源線１８の他端がコンピューター等の端末設備に接続される。
【０００９】
図３に示したように、本実施形態において、前記基板３０は、ガラス或いは透明樹脂等の材料からなり、その全体が略弧状を呈し、短軸方向の中央部が僅かに窪んでいる。前記基板３０は、対向する表面３２及び背面３４を含む。前記表面３２は、前記タッチプレート１０の前記透明保護層１２と対向する表面に貼り付けられる。前記表面３２には、前記基板３０の長辺に平行な矩形のスロット３２２が設けられる。前記背面３４の片側の端縁には、前記基板３０の長さに等しく、且つ逆三角形を呈する透明な支持リブ３６が突設されている。前記支持リブ３６が存在するため、前記タッチ式透明キーボード１００が卓上に設置されると、略傾斜状態になる。
【００１０】
前記投影装置５０は、キャリアー体５２及び前記キャリアー体５２に装着されるプロジェクター５４を含む。前記キャリアー体５２は、透明材料からなり、その一端が前記基板３０のスロット３２２内に回動可能に設けられて、その全体が前記スロット３２２内に起倒可能に収納される。前記プロジェクター５４は、前記キャリアー体５２の前記基板３０から離れている他端に設けられて、電池により電力を供給されるか、或いは信号線により電源の電力を供給される。前記キャリアー体５２を前記基板３０に直交する位置に回動させて、前記プロジェクター５４を起動すると、前記プロジェクター５４は光線ビームを射出して、複数の前記キーアイコン５６を前記タッチプレート１０に完全に投影する。前記キーアイコン５６の配列及び標示内容は、実際の要求に応じて英文アルファベット、漢字或いは平仮名等に変更することができる。
【００１１】
前記制御モジュール７０は集積チップであって、前記電源線１８に固定され、且つ軟性ケーブル（図示せず）を介して前記第一導電層１４、前記第二導電層１７及び前記電源線１８に電気的に接続される。前記制御モジュール７０の内部には、前記キャリアー体５２が前記基板３０に直交する際に前記プロジェクター５４から投影されるキーアイコン５６の情報（例えば、「Ｋ」キーの在る投影エリアの座標範囲情報及び対応する指令情報）が予め格納されており、且つ前記タッチプレート１０の触れられる位置にそれぞれ対応する。ユーザーの指先或いはタッチペン等が前記タッチプレート１０の透明保護層１２に接触する瞬間に、前記タッチプレート１０には静電容量が発生する。前記制御モジュール７０は、電流の変化を検知して、触れられた位置の座標を判断するとともに対応する指令信号を発生させて、この指令信号をコンピューター等の端末設備に伝送する。
【００１２】
図４に示したように、前記タッチ式キーボード１００を使用する場合、前記キャリアー体５２を前記スロット３２２から取り出して、前記キャリアー体５２を前記基板３０上に垂直に立設すると、前記プロジェクター５４が光線ビームを射出して、前記キーアイコン５６を前記タッチプレート１０に投影する。この際、ユーザーが前記タッチプレート１０に触れると、前記制御モジュール７０は、触れられた位置を検知するとともに、この触れられた位置の座標情報を記録して、この座標情報と予め格納された前記キーアイコン５６の座標範囲情報とを比較して、触れられた位置に対応する指令信号を出力して、ディスプレイ等の端末設備を介してそれを表示する。
【００１３】
図５は、本発明の第二実施形態に係るタッチ式キーボード２００を示している。前記第一実施形態に係るタッチ式キーボード１００と異なり、前記タッチ式キーボード２００において、前記基板３０は非透明材料からなり、前記キャリアー体５２は、支持部５２２、回転部５２４及びヒンジ部材５２６を含む。前記支持部５２２の一端が前記スロット３２２内に枢着される。前記回転部５２４は、前記ヒンジ部材５２６を介して前記支持部５２２の他端に回動可能に連結され、且つ前記支持部５２２と特定の角度を形成する。前記プロジェクター５４が前記回転部５２４内に装着される。
【００１４】
前記タッチ式キーボード２００を使用する場合、まず、前記キャリアー体５２を前記スロット３２２から取り出して、前記支持部５２２を前記基板３０上に垂直に立設してから、前記回転部５２４を前記特定角度に回動すると、前記プロジェクター５４から光線ビームを射出して前記キーアイコン５６を前記タッチプレート１０に投影する。これと同時に、前記制御モジュール７０は、前記特定角度に対応して予め設定されたキーアイコン５６の情報に基づいて、触れられた位置に対応する指令情報を計算する。前記タッチ式キーボード２００を使用しない場合、前記回転部５２４を反対方向へ回転して、それを前記支持部５２２と同じ直線上に設置した後、前記キャリアー体５２全体を前記スロット３２２内に収納すればよい。本実施形態において、前記回転部５２４内に装着される前記プロジェクター５４と前記基板３０とが一定の角度を形成するため、高度がより高いキャリアー体５２を使用せずに前記キーアイコン５６を前記タッチプレート１０に完全に投影することができる。
【００１５】
図６は、本発明の第三実施形態に係るタッチ式キーボード３００の投影装置の拡大図である。前記第二実施形態に係るタッチ式キーボード２００と異なり、前記タッチ式キーボード３００において、キャリアー体５２のヒンジ部材５２６には、角度センサー５２８が装着されている。前記回転部５２４を回動する際に、前記角度センサー５２８は、前記回転部５２４と前記支持部５２２との間の角度を測定して角度信号を発生し、且つ電気回線を介して前記角度信号を前記制御モジュール７０に伝送する。前記制御モジュール７０の内部には、異なる角度それぞれに対応する複数のグループのキーアイコン５６の情報が予め格納されている。
【００１６】
前記タッチ式キーボード３００を使用する場合、前記回転部５２４を回動してそれを前記基板３０の表面３２と任意の角度に保持させると、前記キーアイコン５６が前記タッチプレート１０に完全に投影される。この際、前記制御モジュール７０は、前記角度センサー５２８からの角度信号及び予め設定されたキーアイコン５６の情報に基づいて、触れられた位置に対応する指令情報を計算する。本実施形態において、前記制御モジュール７０には、前記回転部５２４と前記支持部５２２との間の異なる角度それぞれに対応する複数のグループのキーアイコン５６の情報が予め格納されているため、前記回転部５２４と前記支持部５２２との間の角度を任意に調整でき、前記プロジェクター５４の投影効果はさらによい。
【００１７】
図７は、本発明の第四実施形態に係るタッチ式キーボード４００の使用状態を示している。前記第一実施形態に係るタッチ式キーボード１００と異なり、前記タッチ式キーボード４００のタッチプレート１０には、コンピューター等の端末設備の表示装置に接続するための信号転換線１９が設けられている。前記プロジェクター５４は、ダブルレンズ映像プロジェクターであって、前記信号転換線１９に電気的に接続されて、コンピューターのデスクトップ及びユーザーが入力した情報を壁等のインターフェース８０に投影する。前記タッチ式キーボード４００を使用する場合、前記プロジェクター５４は複数の前記キーアイコン５６を前記タッチプレート１０に投影するとともに、前記インターフェース８０にコンピューターデスクトップ及びユーザーが入力した情報を投影する。従って、前記タッチ式キーボード４００を使用する過程に、専門の表示装置を必要としないため、便利に使用できる。
【００１８】
また、前記第四実施形態において、前記プロジェクター５４は、ダブルレンズ映像プロジェクターの代わりに、２つの標準の映像プロジェクターを組み合せてなることもできる。さらに、前記信号転換線１９を省略して、ソフトウェア（例えば、押しボタンの切り替え）を介して前記コンピューターデスクトップを投影して表示する機能を実現する。
【００１９】
また、上記の各実施形態において、前記基板３０の側面に入力ペンを収納するための収納部を設けるのが好ましい。これにより、ユーザーが前記タッチプレート１０を押圧する際に、指先が前記プロジェクター５４から射出した光線を遮ることを防止する。
【００２０】
また、本発明の各実施形態に係るタッチ式キーボードは、無線式のキーボードであれば、前記制御モジュール７０を前記タッチプレート１０の側辺に独立して設けてもよい。或いは、インジウムガリウム（Ｉｎｄｉｕｍ  Ｇａｌｌｉｕｍ）酸化物で透明な制御モジュール７０を形成して、前記タッチ式透明キーボードを完全に透明にしてもよい。
【００２１】
また、本発明のタッチプレート１０は、抵抗膜式、表面音波式或いは光学式タッチパネル等とすることができる。
【００２２】
本発明のタッチ式キーボードは、タッチプレート構造を採用するため、ユーザーがキートップをクリックすることなく情報を入力することができ、操作が便利である。また、本発明のタッチ式キーボードは、プロジェクターを介してキーアイコンをタッチプレートに投影するので、構造に新規性があり、外観が立派である。
【００２３】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２４】
１０        タッチプレート
１２        透明保護層
１４        第一導電層
１６        透明基体
１７        第二導電層
１８        電源線
１９        信号転換線
３０        基板
３２        表面
３４        背面
３６        支持リブ
５０        投影装置
５２        キャリアー体
５４        プロジェクター
５６        キーアイコン
７０        制御モジュール
８０        インターフェース
１００      タッチ式キーボード
２００      タッチ式キーボード
３００      タッチ式キーボード
３２２      スロット
５２２      支持部
５２４      回転部
５２６      ヒンジ部材
５２８      角度センサー
【図１】
2011258188.tif 000003
【図２】
2011258188.tif 000004
【図３】
2011258188.tif 000005
【図４】
2011258188.tif 000006
【図５】
2011258188.tif 000007
【図６】
2011258188.tif 000008
【図７】
2011258188.tif 000009